(57)【要約】      （修正有）【課題】メータ部を表示体に対して任意に装着可能にすると共に、外観を向上させる信号処理装置を提供する。【解決手段】装着／非装着が任意に行えるメータパネル部Ｐ４を、表示付き操作パネル部Ｐ３に対して装着しないときは、配線コード１７を取り外し、第２カバー体を装着することで、表示付き操作パネル部Ｐ３の接続端子ｔ１等が覆われる。メータパネル部Ｐ４を表示付き操作パネル部Ｐ３に対して装着するときは、表示付き操作パネル部Ｐ３の接続端子ｔ１〜ｔ３とメータパネル部Ｐ４の接続端子ｔ４、ｔ５とを、配線コード１７によって接続する。この場合は、第１カバー体ＣＶ１を装着することで、配線コード１７及び接続端子ｔ１等が覆われる。【選択図】図３
2006253607.tif 000002
【特許請求の範囲】
【請求項１】
複数の操作子が設けられた操作パネル面を有する装置本体と、
前記装置本体の前記操作パネル面から突設され、表示部及び表示側配線用接続部を有する表示体と、
メータ側配線用接続部を有し、前記表示体の上部に選択的に装着／非装着が可能に構成されたメータ部と、
前記メータ部の前記表示体に対する装着状態時において、前記表示側配線用接続部と前記メータ側配線用接続部とを接続可能な配線コードと、
前記表示体に対して着脱可能に構成され、前記メータ部の前記表示体に対する非装着状態時であって且つ前記配線コードにより前記表示側配線用接続部と前記メータ側配線用接続部とが接続されていない状態において、前記表示体に装着されることで、前記表示側配線用接続部を覆う接続部用カバー体とを有することを特徴とする信号処理装置。
【請求項２】
前記表示体に対して着脱可能で且つ接続部用カバー体とは選択的に前記表示体に装着され、前記メータ部の前記表示体に対する装着状態時であって且つ前記配線コードにより前記表示側配線用接続部と前記メータ側配線用接続部とが接続されている状態において、前記表示体に装着されることで、前記配線コード及び前記表示側配線用接続部を覆う配線部用カバー体を有することを特徴とする請求項１記載の信号処理装置。
【請求項３】
複数の操作子が設けられた操作パネル面を有する装置本体と、
前記装置本体の前記操作パネル面から突設され、表示部及び表示側配線用接続部を有する表示体と、
メータ側配線用接続部を有し、前記表示体の上部に選択的に装着／非装着が可能に構成されたメータ部と、
前記メータ部の前記表示体に対する装着状態時において、前記表示側配線用接続部と前記メータ側配線用接続部とを接続可能な配線コードとを有し、
前記メータ部の前記表示体に対する装着状態時であって且つ前記配線コードにより前記表示側配線用接続部と前記メータ側配線用接続部とが接続されている状態において、前記表示体と前記メータ部との間には、該表示体及び該メータ部の背面側に開口する凹部が形成され、前記配線コードが、前記凹部内に収まることを特徴とする信号処理装置。
【請求項４】
複数の操作子が設けられた操作パネル面を有する装置本体と、
前記装置本体の前記操作パネル面から突設され、表示部を有する表示体と、
前記表示体の上部に選択的に装着／非装着が可能に構成されたメータ部と、
前記メータ部の互いに離間した位置に、前記表示体の方向に延設して設けられ、該メータ部を前記表示体に対して装着するための複数の連結部材と、
前記連結部材に設けられた係止部と、
前記表示体の前記係止部に対応する位置に設けられた係止対応部と、
前記連結部材に設けられた固着部と、
前記表示体の前記固着部に対応する位置に設けられた固着部対応部とを有し、
前記連結部材の前記係止部を前記係止対応部に係止した後に、前記連結部材の前記固着部を前記固着部対応部に固着することで、前記メータ部が前記表示体に対して装着されるように構成されたことを特徴とする信号処理装置。
【請求項５】
前記メータ部と前記表示体とを接続する配線部と、係止取付部を有して前記配線部を覆う配線部用カバー体とを有し、前記表示体の前記係止対応部には、前記配線部用カバー体の前記係止取付部に対応する係止取付対応部がさらに設けられ、前記係止取付部を前記係止取付対応部に係止することで、前記配線部用カバー体が前記表示体に対して装着されるように構成されたことを特徴とする請求項４記載の信号処理装置。
【請求項６】
操作パネル面を有する装置本体と、
前記装置本体の前記操作パネル面から突設され、表示部を有する表示体と、
前記表示体の上部に選択的に装着／非装着が可能に構成されたメータ部と、
前記メータ部を前記表示体に対して装着するための連結部とを有し、
前記表示体の上部と前記メータ部の下部の少なくとも一方には面取り部が形成され、前記連結部によって前記表示体に前記メータ部を装着したとき、相隣接する前記表示体の上部と前記メータ部の下部との間に前記面取り部に応じた凹部が形成され、
前記表示体の上部には、前記凹部内に開口する放熱穴が形成され、前記表示体の内部の熱が、前記放熱穴を通じて前記凹部を介して排出されると共に、
前記表示体と前記メータ部とが前記凹部を介して配線コードで接続可能なように構成されたことを特徴とする信号処理装置。
【発明の詳細な説明】
【技術分野】
【０００１】
本発明は、複数の操作子が設けられた操作パネル面を有するミキサ等の信号処理装置に関する。
【背景技術】
【０００２】
従来、下記特許文献１に示されるような、ミキシングコンソール等の信号処理装置が知られている。この種の信号処理装置においては、各種情報を表示する液晶等の表示体が通常設けられる。また、この信号処理装置用には、ＬＥＤ、数値表示、針表示等により情報を表示するパネル状等のメータ部が別体で提供される場合があり、ユーザは、所望により、メータ部を追加入手して、信号処理装置の例えば表示体に対して後付けすることができる。この場合、表示体には、メータ部を配線コードで電気的に接続するための端子、あるいは既に配線が固定的に接続された接続部が予め設けられる。
【特許文献１】特開平８−５６０８１号公報
【発明の開示】
【発明が解決しようとする課題】
【０００３】
しかしながら、表示体において、メータ部を装着しない状態で、端子乃至接続部が剥き出し状態となる場合は、外観が悪い。
【０００４】
また、表示体にメータ部を装着した場合であっても、配線コードは、表示体及びメータ部の背面側等において露出するため、外観が悪い。
【０００５】
ところで、メータ部は、ある程度の重量があるため、表示体に対して装着する際、装着作業が容易でなく、安全面でも改良の余地があった。
【０００６】
本発明は上記従来技術の問題を解決するためになされたものであり、その第１の目的は、メータ部を表示体に対して任意に装着可能にすると共に、外観を向上させることができる信号処理装置を提供することにある。
【０００７】
本発明の第２の目的は、メータ部の表示体への装着作業を容易且つ安全にすることができる信号処理装置を提供することにある。
【課題を解決するための手段】
【０００８】
上記第１の目的を達成するために本発明の請求項１の信号処理装置は、複数の操作子が設けられた操作パネル面（Ｐ１）を有する装置本体（１ａ）と、前記装置本体の前記操作パネル面から突設され、表示部（１０）及び表示側配線用接続部（ｔ１）を有する表示体（Ｐ３）と、メータ側配線用接続部（ｔ４、ｔ５）を有し、前記表示体の上部に選択的に装着／非装着が可能に構成されたメータ部（Ｐ４）と、前記メータ部の前記表示体に対する装着状態時において、前記表示側配線用接続部と前記メータ側配線用接続部とを接続可能な配線コード（１７）と、前記表示体に対して着脱可能に構成され、前記メータ部の前記表示体に対する非装着状態時であって且つ前記配線コードにより前記表示側配線用接続部と前記メータ側配線用接続部とが接続されていない状態において、前記表示体に装着されることで、前記表示側配線用接続部を覆う接続部用カバー体（ＣＶ２、ＣＶ４）とを有することを特徴とする。
【０００９】
好ましくは、前記表示体に対して着脱可能で且つ接続部用カバー体とは選択的に前記表示体に装着され、前記メータ部の前記表示体に対する装着状態時であって且つ前記配線コードにより前記表示側配線用接続部と前記メータ側配線用接続部とが接続されている状態において、前記表示体に装着されることで、前記配線コード及び前記表示側配線用接続部を覆う配線部用カバー体（ＣＶ１、ＣＶ３）を有する（請求項２）。この構成によれば、メータ部の装着状態時において配線コード及び表示側配線用接続部を見えないようにして、メータ部の装着状態時における外観を向上させることができる。
【００１０】
上記第１の目的を達成するために本発明の請求項３の信号処理装置は、複数の操作子が設けられた操作パネル面を有する装置本体と、前記装置本体の前記操作パネル面から突設され、表示部及び表示側配線用接続部（ｔ１）を有する表示体と、メータ側配線用接続部を有し、前記表示体の上部に選択的に装着／非装着が可能に構成されたメータ部と、前記メータ部の前記表示体に対する装着状態時において、前記表示側配線用接続部と前記メータ側配線用接続部とを接続可能な配線コードとを有し、前記メータ部の前記表示体に対する装着状態時であって且つ前記配線コードにより前記表示側配線用接続部と前記メータ側配線用接続部とが接続されている状態において、前記表示体と前記メータ部との間には、該表示体及び該メータ部の背面側に開口する凹部（Ｓ１）が形成され、前記配線コードが、前記凹部内に収まることを特徴とする。
【００１１】
なお、前記表示体及び前記メータ部の少なくとも一方に固定され、前記凹部の左右両側を囲む板状部材（４０、５０）を設けてもよい。これにより、配線コードが側方からも見えなくなり、外観を一層向上させることができる。
【００１２】
上記第２の目的を達成するために本発明の請求項４の信号処理装置は、複数の操作子が設けられた操作パネル面を有する装置本体と、前記装置本体の前記操作パネル面から突設され、表示部を有する表示体と、前記表示体の上部に選択的に装着／非装着が可能に構成されたメータ部と、前記メータ部の互いに離間した位置に、前記表示体の方向に延設して設けられ、該メータ部を前記表示体に対して装着するための複数の連結部材（４０、５０）と、前記連結部材に設けられた係止部（４２ａ）と、前記表示体の前記係止部に対応する位置に設けられた係止対応部（１８ａ、８８ａ）と、前記連結部材に設けられた固着部（４２ｂ）と、前記表示体の前記固着部に対応する位置に設けられた固着部対応部（９）とを有し、前記連結部材の前記係止部を前記係止対応部に係止した後に、前記連結部材の前記固着部を前記固着部対応部に固着することで、前記メータ部が前記表示体に対して装着されるように構成されたことを特徴とする。
【００１３】
好ましくは、前記メータ部と前記表示体とを接続する配線部（ｔ１、１７）と、係止取付部（７４、７７、７５、７８）を有して前記配線部を覆う配線部用カバー体（ＣＶ３）とを有し、前記表示体の前記係止対応部には、前記配線部用カバー体の前記係止取付部に対応する係止取付対応部（８８ｃ、８９ｃ）がさらに設けられ、前記係止取付部を前記係止取付対応部に係止することで、前記配線部用カバー体が前記表示体に対して装着されるように構成される（請求項５）。この構成によれば、配線部用カバー体の取り付け装着作業を容易にすることができる。また、係止対応部が、連結部材を係止する機能と配線部用カバー体を取り付ける機能とを兼ねるので、構成が簡単である。
【００１４】
上記第１の目的を達成するために本発明の請求項６の信号処理装置は、操作パネル面を有する装置本体と、前記装置本体の前記操作パネル面から突設され、表示部を有する表示体と、前記表示体の上部に選択的に装着／非装着が可能に構成されたメータ部と、前記メータ部を前記表示体に対して装着するための連結部（４０、５０）とを有し、前記表示体の上部と前記メータ部の下部の少なくとも一方には面取り部（Ｐ３ｃ及び／又はＰ４ｃ）が形成され、前記連結部によって前記表示体に前記メータ部を装着したとき、相隣接する前記表示体の上部と前記メータ部の下部との間に前記面取り部に応じた凹部（Ｓ１）が形成され、前記表示体の上部には、前記凹部内に開口する放熱穴（ＳＬＴ１、ＳＬＴ２）が形成され、前記表示体の内部の熱が、前記放熱穴を通じて前記凹部を介して排出されると共に、前記表示体と前記メータ部とが前記凹部を介して配線コードで接続可能なように構成されたことを特徴とする。
【００１５】
この構成によれば、メータ部の装着状態時において、放熱穴が凹部内に開口するので目立たたず、配線コードも見えない。よって、メータ部を表示体に対して任意に装着可能にすると共に、外観を向上させることができる。
【００１６】
なお、上記括弧内の符号は例示である。
【発明の効果】
【００１７】
本発明の請求項１に係る信号処理装置によれば、メータ部を表示体に対して任意に装着可能にすると共に、メータ部の非装着状態時において表示側配線用接続部が見えないようにして、メータ部の非装着状態時における外観を向上させることができる。
【００１８】
本発明の請求項３に係る信号処理装置によれば、メータ部を表示体に対して任意に装着可能にすると共に、配線コードが目立たないようにして外観を向上させることができる。また、配線コードの後方への突出を抑えて、メータ部の装着状態時の省スペースを図ることができる。
【００１９】
本発明の請求項４に係る信号処理装置によれば、メータ部の表示体への装着作業を容易且つ安全にすることができる。
【００２０】
本発明の請求項６に係る信号処理装置によれば、メータ部を表示体に対して任意に装着可能にすると共に、放熱穴及び配線コードが目立たないようにして、メータ部の非装着状態時における外観を向上させることができる。
【発明を実施するための最良の形態】
【００２１】
以下、本発明の実施の形態を図面を参照して説明する。
【００２２】
（第１の実施の形態）
図１は、本発明の第１の実施の形態に係る信号処理装置の外観斜視図である。以降、本信号処理装置１の操作者側（図１の左手前側）を前方とし、前後左右については操作者を基準として呼称する。
【００２３】
図１に示すように、信号処理装置１は、入力される信号に対してミキシング、イコライジング等の種々の処理を行って出力するミキサ装置として構成され、その本体１ａの上面に、全体操作パネル部Ｐ１が設けられる。全体操作パネル部Ｐ１は、左側操作パネル部Ｐ１−Ｌ、中央操作パネル部Ｐ１−Ｍ、及び右側操作パネル部Ｐ１−Ｒで成る。中央操作パネル部Ｐ１−Ｍ内には、中央操作パネル部Ｐ１−Ｍとは別体で構成される集中操作パネル部Ｐ２が設けられ、集中操作パネル部Ｐ２の後部には、表示付き操作パネル部Ｐ３が連接して連結固定される。
【００２４】
集中操作パネル部Ｐ２は平面的に配置されるが、表示付き操作パネル部Ｐ３は、集中操作パネル部Ｐ２との連結部から斜め後方に起き、立体的に配置される。表示付き操作パネル部Ｐ３の上部にも相当する後部には、さらにメータパネル部Ｐ４が連接して設けられる。後述するように、メータパネル部Ｐ４は、表示付き操作パネル部Ｐ３に対して、ユーザの任意により装着／非装着が可能になっている。
【００２５】
全体操作パネル部Ｐ１においては、操作領域が複数に分割されている。すなわち、左側操作パネル部Ｐ１−Ｌには操作領域ｒＡ、ｒＢ、ｒＣ、ｒＤが設けられ、右側操作パネル部Ｐ１−Ｒには操作領域ｒＥ、ｒＦが設けられ、中央操作パネル部Ｐ１−Ｍには操作領域ｒＧ、ｒＨが設けられている。集中操作パネル部Ｐ２の左右方向略中央には、汎用操作領域ｒＺが設けられ、右側の前部には、操作領域の１つである選択領域ｒＳＬＣが設けられる。選択領域ｒＳＬＣには選択操作子群ｓＳＬＣが設けられ、また、選択領域ｒＳＬＣの後方には、その他の操作子群ｓ（Ｐ２）が設けられている。
【００２６】
信号処理装置１は、４８チャンネルの信号を扱うことができ、全体操作パネル部Ｐ１の操作領域ｒＡ〜ｒＦ及び集中操作パネル部Ｐ２の汎用操作領域ｒＺには、対応する入力チャンネルのパラメータを制御するための複数（８個、４個または２個）のチャンネルストリップが設けられる。各チャンネルストリップは、押下型の複数のスイッチと、電動で且つスライド式のフェーダ操作子等の操作子群を有する。これら操作子群について、操作領域ｒＡ〜ｒＨに対応するものを操作子群ｓＡ〜ｓＨと記す。
【００２７】
表示付き操作パネル部Ｐ３の表面Ｐ３ａには、液晶表示装置等で成る表示器１０が設けられ、表示器１０の左方には操作子群ｓ（Ｐ３）が設けられる。表示器１０には、ミキサの設定の参照、変更、保存等を行うための画面や装置の動作状態、各入力チャンネルのパラメータの設定状態等を示す各種情報が表示される。メータパネル部Ｐ４の表面Ｐ４ａは、８チャンネルに対応した不図示のＬＥＤ群を有し、入力レベル等の各種レベル情報を表示する。
【００２８】
図２は、表示付き操作パネル部Ｐ３にメータパネル部Ｐ４を装着したものを斜め後方からみた斜視図である。図３は、表示付き操作パネル部Ｐ３にメータパネル部Ｐ４を装着したものの下面図（裏側から見た図）である。図４は、図３のＡ−Ａ線に沿う断面図である。
【００２９】
表示付き操作パネル部Ｐ３において、裏側傾斜面Ｐ３ｂが、後方且つ下方を向き、裏側傾斜面Ｐ３ｂに連接する背面Ｐ３ｃが、後方を向いている。表示付き操作パネル部Ｐ３の内部には、電気回路等の発熱部９０が配設されており、背面Ｐ３ｃに設けられたスリット群ＳＬＴ１、ＳＬＴ２から、表示付き操作パネル部Ｐ３の内部の熱が排出される。
【００３０】
メータパネル部Ｐ４において、裏側傾斜面Ｐ４ｂが後方且つ下方を向き、裏側傾斜面Ｐ４ｂに連接する下面Ｐ４ｃがほぼ下方を向いている。図４に示すように、表示付き操作パネル部Ｐ３とメータパネル部Ｐ４との連結部分において、背面Ｐ３ｃと下面Ｐ４ｃとの間には、後方に開口する側面視三角形の凹部Ｓ１が、表示付き操作パネル部Ｐ３、メータパネル部Ｐ４の左右方向略全長に亘って形成されている。
【００３１】
図４に示すように、表示付き操作パネル部Ｐ３へのメータパネル部Ｐ４の装着状態時では、表示付き操作パネル部Ｐ３の上部の対向面Ｐ３ｄとメータパネル部Ｐ４の下部の対向面Ｐ４ｄとが相隣接し、対向している。また、背面Ｐ３ｃは、表示付き操作パネル部Ｐ３の上部に形成された面取り部に相当し、下面Ｐ４ｃは、メータパネル部Ｐ４の下部に形成された面取り部に相当する。そして、これら面取り部が、上記凹部Ｓ１を形成している。スリット群ＳＬＴ１、ＳＬＴ２は、凹部Ｓ１内に開口しているので、目立たず、外観に悪影響を与えることが少ない。
【００３２】
メータパネル部Ｐ４は、その下部が、金属製等の連結部材４０、５０を介して、表示付き操作パネル部Ｐ３の上部（後部）に連結される。図２、図３に示すように、連結部材４０は、側板部４１と、側板部４１から屈曲形成された屈曲部４２とが一体に形成されて成る。連結部材５０は連結部材４０とは左右対称に同様に構成され、側板部５１と、側板部５１から屈曲形成された屈曲部５２とが一体に形成されて成る。
【００３３】
連結部材４０、５０は、メータパネル部Ｐ４の互いに離間した位置、例えば、両側部に配置される。すなわち、連結部材４０、５０の側板部４１、５１が、それぞれ、メータパネル部Ｐ４の右側面、左側面に対して、各２つのネジ１４で螺着固定される。図４に示すように、メータパネル部Ｐ４の表示付き操作パネル部Ｐ３に対する装着状態時において、連結部材４０、５０の側板部４１、５１は、下方、すなわち、表示付き操作パネル部Ｐ３の方向に延設され、上記凹部Ｓ１を左右両側から囲っている。屈曲部４２、５２は、側板部４１、５１から内側方向に屈曲して延び、これら屈曲部４２、５２が表示付き操作パネル部Ｐ３の背面Ｐ３ｃにネジ１８、１９でそれぞれ螺着されることで、表示付き操作パネル部Ｐ３にメータパネル部Ｐ４が装着状態とされている。
【００３４】
図５（ａ）は、表示付き操作パネル部Ｐ３と連結部材４０との重なり状態を示す、図４の部分拡大断面図、図５（ｂ）は、連結部材４０の屈曲部４２の一部を示す図である。連結部材４０と連結部材５０とは、左右対称であって、表示付き操作パネル部Ｐ３の背面Ｐ３ｃに対する固着態様が同様であるので、代表して連結部材４０について説明する。
【００３５】
図５（ｂ）に示すように、連結部材４０の屈曲部４２には、上側に係止・螺着用穴４２ａ、下側に螺着用穴４２ｂがそれぞれ形成されている。係止・螺着用穴４２ａは、上半部が小径部４２ａａ、下半部が大径部４２ａｂとなっていて、一体に形成されている。大径部４２ａｂの直径は、ネジ１８の頭部１８ｂの外径より大きい。螺着用穴４２ｂは、頭部１８ｂの外径より小さく、小径部４２ａａの内径相当と同径の丸穴となっている。
【００３６】
メータパネル部Ｐ４を表示付き操作パネル部Ｐ３に装着するには、まず、連結部材４０、５０を表示付き操作パネル部Ｐ３に取り付けると共に、一方で、ネジ１８を表示付き操作パネル部Ｐ３のネジ穴８に対して仮螺合（少し緩めた状態で螺合）しておく。このとき、ネジ１８の首部１８ａの、背面Ｐ３ｃからの突出量を、連結部材４０、５０の屈曲部４２、５２の厚みより多くしておく。そして、表示付き操作パネル部Ｐ３に取り付けられた連結部材４０の屈曲部４２を表示付き操作パネル部Ｐ３の背面Ｐ３ｃに当接させる。その際、既に仮螺合されているネジ１８の頭部１８ｂが係止・螺着用穴４２ａの大径部４２ａｂを貫通するようにする。頭部１８ｂが貫通した後、メータパネル部Ｐ４の自重により、係止・螺着用穴４２ａの小径部４２ａａがネジ１８の首部１８ａに係止された仮固定状態となり、手を離したとしてもメータパネル部Ｐ４が脱落しない。
【００３７】
その後、図５（ａ）に示すように、ネジ１９を螺着用穴４２ｂを介して表示付き操作パネル部Ｐ３のネジ穴９に対して螺合すると共に、ネジ１８もネジ穴８に対してしっかりと螺合して本固定する。連結部材５０の側においても、これらと同様の作業を並行して行う。このように、係止・螺着用穴４２ａ、５２ａをネジ１８の頭部１８ｂに一旦係止状態とすることで、重いメータパネル部Ｐ４を、表示付き操作パネル部Ｐ３に対して容易且つ安全に装着することができる。
【００３８】
図４に示すように、表示付き操作パネル部Ｐ３には基板１５、メータパネル部Ｐ４には、基板１６がそれぞれ固定的に設けられ、図３、図４に示すように、基板１５上には、接続端子ｔ１、ｔ２、ｔ３、基板１６上には、接続端子ｔ４、ｔ５がそれぞれ設けられる。これら接続端子ｔ１〜ｔ５は、表示付き操作パネル部Ｐ３とメータパネル部Ｐ４とを電気的に接続するためのものであり、接続端子ｔ１〜ｔ３と接続端子ｔ４、ｔ５とが、配線コード１７によって接続される。
【００３９】
図４に示すように、配線コード１７が接続された状態において、配線コード１７は、凹部Ｓ１内に収まり、後方に突出しない。さらに、配線コード１７は、第１カバー体ＣＶ１によっても覆われている。なお、メータパネル部Ｐ４の下面Ｐ４ｃには、配線コード１７が通るための開口部（図示せず）が設けられている。
【００４０】
図３、図４に示すように、第１カバー体ＣＶ１は、表示付き操作パネル部Ｐ３の右側部であって、連結部材４０の屈曲部４２のすぐ左側に隣接して配置される。本実施の形態においては、信号処理装置１には、第１カバー体ＣＶ１と後述する第２カバー体ＣＶ２のいずれかを選択的に装着することができるようになっている。第１カバー体ＣＶ１は、表示付き操作パネル部Ｐ３にメータパネル部Ｐ４が装着された場合に用いられ、カバー体ＣＶ２は、表示付き操作パネル部Ｐ３にメータパネル部Ｐ４が装着されない場合に用いられる。
【００４１】
図６（ａ）、（ｂ）は、第１カバー体ＣＶ１の斜視図である。図７（ａ）は、第１カバー体ＣＶ１のサブカバーの斜視図、図７（ｂ）は、第２カバー体ＣＶ２のサブカバーの斜視図、図７（ｃ）は、第１、第２カバー体ＣＶ１、ＣＶ２のメインカバーの斜視図である。なお、図６（ａ）においては、第２カバー体ＣＶ２のサブカバー６０が仮想線で示されている。
【００４２】
第１カバー体ＣＶ１は、いずれも金属製等の、メインカバー２１とサブカバー３０とから成る。第２カバー体ＣＶ２は、メインカバー２１とサブカバー６０とから成り、メインカバー２１は、第１カバー体ＣＶ１と第２カバー体ＣＶ２とで同一のものが共用される。図２、図６（ａ）、（ｂ）、図７（ｃ）に示すように、メインカバー２１は、表示付き操作パネル部Ｐ３の裏側傾斜面Ｐ３ｂ及び背面Ｐ３ｃに対応して互いにく字状に屈曲した下側板部２４及び後側板部２５を有して一体に構成される。後側板部２５からは左方に延設部２６が延びている。後側板部２５には、バーリング加工等により形成された穴にネジ切り加工して成るネジ穴２３が設けられ、延設部２６には螺着用穴２２が設けられている。
【００４３】
サブカバー３０は、取り付け板部３１と、取り付け板部３１から延設され、主に配線コード１７を覆うためのフード状の収容部３２とを有し、収容部３２の内側が凹部３２ａとなっている（図６（ｂ）参照）。サブカバー３０の取り付け板部３１には、ネジ穴２３に対応する穴３３が設けられている。一方、サブカバー６０は、図７（ｂ）に示すように、板部６１を有し、上記収容部３２に相当する部分がない。板部６１の下半部は、取り付け板部３１に相当し、上半部は、主に表示付き操作パネル部Ｐ３の内部を覆い隠すための部分となっている。板部６１には、穴３３と同様の穴６３が設けられている。
【００４４】
ここで、図２〜図４では、表示付き操作パネル部Ｐ３にメータパネル部Ｐ４が装着され、且つ表示付き操作パネル部Ｐ３に第１カバー体ＣＶ１が装着された状態が示されている。第１カバー体ＣＶ１は、メインカバー２１に、サブカバー３０を固定して構成される。すなわち、穴３３とネジ穴２３の位置を合わせてメインカバー２１にサブカバー３０を重ね、ネジ１１（図２、図３参照）をネジ穴２３に螺合することで、第１カバー体ＣＶ１が構成される。一方、サブカバー６０の穴３３とメインカバー２１ネジ穴２３の位置を合わせてメインカバー２１にサブカバー６０を重ね、ネジ１１をネジ穴２３に螺合することで、第２カバー体ＣＶ２が構成される。
【００４５】
表示付き操作パネル部Ｐ３の背面Ｐ３ｃにおいて、第１カバー体ＣＶ１の螺着用穴２２に対応する位置には、ネジ穴１３が形成されている（図３参照）。第１カバー体ＣＶ１の螺着用穴２２とネジ穴１３の位置を合わせ、ネジ１２（図２、図３参照）をネジ穴１３に螺合することで、第１カバー体ＣＶ１が表示付き操作パネル部Ｐ３に対して装着される。第１カバー体ＣＶ１の装着は、配線コード１７の接続後に行われる。
【００４６】
メータパネル部Ｐ４の表示付き操作パネル部Ｐ３に対する装着状態時であって、配線コード１７が接続されている状態では、仮に、第１カバー体ＣＶ１がないとすると、表示付き操作パネル部Ｐ３の内部が見え、特に、接続端子ｔ１と配線コード１７が位置的に見えやすいし、信号処理するための入出力線の着脱作業時等に、不用意に配線コード１７に手や工具を引っ掛けるおそれもある。しかし、第１カバー体ＣＶ１を装着することで、表示付き操作パネル部Ｐ３の内部が見えなくなり、接続端子ｔ１及び配線コード１７も覆われるので、第１カバー体ＣＶ１が配線コード１７のプロテクタの役割を果たすと共に、メータパネル部Ｐ４の装着状態時の信号処理装置１の外観が向上する。しかも、図４に示すように、配線コード１７が通る空間が、収容部３２により確保されている。
【００４７】
一方、表示付き操作パネル部Ｐ３にメータパネル部Ｐ４を装着しない場合は、第１カバー体ＣＶ１に代えて第２カバー体ＣＶ２を表示付き操作パネル部Ｐ３に対して装着する。
【００４８】
図８は、第２カバー体ＣＶ２を装着した状態の表示付き操作パネル部Ｐ３の右側部後部を示す斜視図である。配線コード１７を取り外した後、第２カバー体ＣＶ２のメインカバー２１の螺着用穴２２と表示付き操作パネル部Ｐ３のネジ穴１３の位置を合わせ、ネジ１２（図２、図３参照）をネジ穴１３に螺合することで、第２カバー体ＣＶ２が表示付き操作パネル部Ｐ３に対して装着される。この場合も、接続端子ｔ１及び配線コード１７がプロテクトされると共に、表示付き操作パネル部Ｐ３の内部が見えず、接続端子ｔ１等が覆われて見えないので、メータパネル部Ｐ４の非装着状態時における信号処理装置１の外観が向上する。
【００４９】
本実施の形態によれば、メータパネル部Ｐ４の非装着状態時であって且つ配線コード１７が接続されていない状態において、第２カバー体ＣＶ２を装着することで、メータパネル部Ｐ４の非装着状態時における信号処理装置１の外観を向上させることができる。一方、メータパネル部Ｐ４の装着状態時であって且つ配線コード１７が接続されている状態において、第１カバー体ＣＶ１を装着することで、メータパネル部Ｐ４の装着状態時においても信号処理装置１の外観を向上させることができる。
【００５０】
また、メータパネル部Ｐ４の表示付き操作パネル部Ｐ３に対する装着状態時においては、接続された配線コード１７が凹部Ｓ１内に収まり、後方に突出せず、機材運搬時等においても配線コード１７が引っかかったりしにくい。また、凹部Ｓ１を利用して電気的接続ができるので、その作業が容易である。しかも、連結部材４０、５０の側板部４１、５１が、凹部Ｓ１を左右両側から囲っているので、第１カバー体ＣＶ１の収容部３２が小さくて済む。従って、信号処理装置１の外観が向上するだけでなく、メータパネル部Ｐ４の装着状態時の前後方向の省スペースも図られる。また、仮に、第１カバー体ＣＶ１を装着しなかったとしても、前方及び側方からは配線コード１７が見えず、配線コード１７が目立たない。
【００５１】
本実施の形態によればまた、メータパネル部Ｐ４を装着する際、係止・螺着用穴４２ａをネジ１８の頭部１８ｂに一旦係止状態とした後に、ネジ１８、１９で螺着固定するので（図５（ａ）参照）、メータパネル部Ｐ４の表示付き操作パネル部Ｐ３への装着作業を容易且つ安全にすることができる。
【００５２】
なお、本実施の形態では、係止・螺着用穴４２ａに大径部４２ａｂを設けて、仮螺合したネジ１８に係止できるようにしたが（図５（ａ）、（ｂ）参照）、螺着用穴４２ｂについても係止・螺着用穴４２ａと同様に形成し、メータパネル部Ｐ４の装着作業の際には、ネジ１９についてもネジ１８と同様に仮螺合し、係止・螺着用穴４２ａと同様に螺着用穴４２ｂをネジ１９に一旦係止状態にしてから、本固定するようにしてもよい。
【００５３】
なお、メータパネル部Ｐ４を表示付き操作パネル部Ｐ３に装着する際に、ネジ１９のみで固定し、ネジ１８は、仮螺合のままとしてもよい。あるいは、ネジ１８に代えて、螺着固定には用いない係止専用の係止部材を設けてもよく、この場合、上記係止部材は、ネジの体裁をとる必要はなく、その大径の頭部が背面Ｐ３ｃから間隔を保って背面Ｐ３ｃから突設されていればよい。これらのようにする場合は、メータパネル部Ｐ４の保持強度を確保する観点から、ネジ１９と同様の螺着固定専用のネジの数を２つ以上に増やすのが好ましい。
【００５４】
なお、配線コード１７は、接続端子ｔ１〜ｔ３と接続端子ｔ４、ｔ５の双方から着脱可能に構成したが、接続端子ｔ１〜ｔ３または接続端子ｔ４、ｔ５のいずれかに固定的に接続されていてもよい。
【００５５】
なお、メータパネル部Ｐ４を表示付き操作パネル部Ｐ３に安定的に装着する観点からは、連結部材４０、５０は互いに離間していればよく、例示した位置に限定されない。また、連結部材の数も２つに限定されず、互いに離間した３個以上の連結部材でメータパネル部Ｐ４と表示付き操作パネル部Ｐ３とを連結してもよい。また、これらの連結部材は、メータパネル部Ｐ４と一体に構成されていてもよい。
【００５６】
なお、凹部Ｓ１のような、表示付き操作パネル部Ｐ３の内部の排熱、及び配線コード１７の配設に寄与する凹部が形成できるのであれば、凹部を形成する面取り部として、表示付き操作パネル部Ｐ３の背面Ｐ３ｃとメータパネル部Ｐ４の下面Ｐ４ｃのいずれか一方のみを設ける構成も採用可能である。
【００５７】
（第２の実施の形態）
本発明の第２の実施の形態では、第１の実施の形態に対し、第１、第２カバー体に相当する第３、第４カバー体の構成、及び、メータパネル部Ｐ４固着用のネジ（ネジ１８、１９）が異なり、その他の構成は同様である。
【００５８】
図９は、本発明の第２の実施の形態に係る信号処理装置における第３カバー体の平面図であり、図４のＹ方向矢視図である。図１０（ａ）は、本実施の形態の信号処理装置の図５（ａ）に対応する部分断面図、図１０（ｂ）は、第３カバー体の部分背面図である。これらの図において、第１の実施の形態と同じ構成要素には同じ符号が付してある。
【００５９】
この第３カバー体ＣＶ３は、メインカバー７１に対して、第１の実施の形態における第１カバー体ＣＶ１のサブカバー３０と同じものを固定して成る。メインカバー７１は、延設部２６とは反対側（右側）に弾性延設部８０が一体に設けられた点のみが、第１カバー体ＣＶ１のメインカバー２１とは異なる。弾性延設部８０は、右方に延びる板状の第１延設部８１と、第１延設部８１の先端に連接しＵ字状に屈曲して左方に延びる板状の第２延設部８２とが、所定の間隙を保って構成される。
【００６０】
弾性延設部８０の第１延設部８１、第２延設部８２には、上記連結部材４０の係止・螺着用穴４２ａ（図１０（ａ）、図５（ｂ）参照）と同様の形状に形成される係止用穴７４、７７、７５、７８が係止・螺着用穴４２ａ、螺着用穴４２ｂに対応する位置に設けられる。すなわち、図９、図１０（ａ）、（ｂ）に示すように、第１延設部８１の係止用穴７４、７７は、小径部７４ａ、７７ａと大径部７４ｂ、７７ｂとを有してそれぞれ一体に形成されている。第２延設部８２の係止用穴７５、７８は、係止用穴７４、７７と一致する位置に設けられ、小径部７５ａ、７８ａと大径部７５ｂ、７８ｂとを有してそれぞれ一体に形成されている。大径部７４ｂ、７７ｂ、７５ｂ、７８ｂの直径は、ネジ８８の頭部８８ｄの外径より大きく、小径部７４ａ、７７ａ、７５ａ、７８ａの内径相当は、頭部８８ｄの外径より小さい。
【００６１】
本実施の形態では、第１の実施の形態におけるネジ１８、１９に代えて、ネジ８８、８９が用いられる。ネジ８８は、鍔部８８ｂを有し、鍔部８８ｂと頭部８８ｄとの間が第１首部８８ｃ、鍔部８８ｂより頭部８８ｄの反対方向に延びる部分が第２首部８８ａとなっている。第１首部８８ｃの間隔（長さ）は、弾性延設部８０の自由状態における厚みよりやや狭い。ネジ８９はネジ８８と同様に構成され、第２首部８９ａ、鍔部８９ｂ、第１首部８９ｃ、頭部８９ｄを有する。
【００６２】
ところで、第２カバー体ＣＶ２に対応する第４カバー体ＣＶ４は、図示はしないが、メインカバー７１に対して、サブカバー３０に代えてサブカバー６０を固定して成る。
【００６３】
かかる構成において、まず、連結部材４０、５０が取り付けられたメータパネル部Ｐ４の表示付き操作パネル部Ｐ３に対する装着の態様は、第１の実施の形態と同様である。すなわち、仮螺合したネジ１８の第２首部８８ａに、係止・螺着用穴４２ａを一旦係止状態とした後に、ネジ８８、８９で螺着することで本固定する。
【００６４】
次に、第３カバー体ＣＶ３を、ネジ８８、８９に対して係止する。すなわち、ネジ８８、８９の頭部８８ｄ、８９ｄが係止用穴７４、７７、７５、７８の大径部７４ｂ、７７ｂ、７５ｂ、７８ｂを貫通するように、弾性延設部８０を鍔部８８ｂと頭部８８ｄとの間、及び鍔部８９ｂと頭部８９ｄとの間に介装させる。その後、第３カバー体ＣＶ３を自重等によって、係止用穴７４、７７、７５、７８の小径部７４ａ、７７ａ、７５ａ、７８ａがネジ８８、８９の第１首部８８ｃ、８９ｃに係止される。
【００６５】
このとき、弾性延設部８０は、２枚の第１、第２延設部８１、８２間に設けた所定の間隙によって弾性を有するので、鍔部８８ｂ、８９ｂと頭部８８ｄ、８９ｄとの間に弾性保持された状態となる。その後、ネジ１２（図２、図３参照）をネジ穴１３に螺合することで、第３カバー体ＣＶ３が表示付き操作パネル部Ｐ３に対して装着される。すなわち、第３カバー体ＣＶ３の着脱は、１個のネジ１２の螺合／取り外しをするだけで可能となり、着脱作業が容易である。第４カバー体ＣＶ４についても、装着の態様は第３カバー体ＣＶ３と全く同様である。
【００６６】
本実施の形態によれば、第３カバー体ＣＶ３を装着する際、弾性延設部８０がネジ８８、８９の第１首部８８ｃ、８９ｃに対して係止状態となるので、弾性延設部８０を、通常のネジで螺着する場合に比し、装着作業が容易である。また、弾性延設部８０が鍔部８８ｂ、８９ｂと頭部８８ｄ、８９ｄとの間に弾性保持されるので、装着後において、弾性延設部８０のがたつきが防止される。さらに、ネジ８８が、連結部材４０を係止及び取り付ける機能と弾性延設部８０を係止及び取り付ける機能とを兼ねるので、ネジを別個に設ける構成に比し、構成が簡単である。
【００６７】
なお、本実施の形態においては、ネジ１２による螺着を廃止することも可能である。すなわち、第３カバー体ＣＶ３は、弾性延設部８０においてネジ８８、８９に弾性係止されるだけで装着完了とされる。このようにしても、弾性延設部８０が鍔部８８ｂ、８９ｂと頭部８８ｄ、８９ｄとの間に弾性保持されることから、第３カバー体ＣＶ３の装着状態は、がたつきがなく安定したものとなる。このようにすれば、装着作業が一層容易になる。同様に、第４カバー体ＣＶ４についても、ネジ１２による螺着を廃止することが可能であり、そのようにした場合の装着状態も同様である。
【００６８】
なお、本実施の形態において、第３、第４カバー体ＣＶ３、ＣＶ４の弾性延設部８０において、係止用穴７４、７７または係止用穴７５、７８のいずれか一方を廃止してもよい。その場合は、弾性延設部８０のうち、廃止した方の係止用穴が設けられる部分の肉を切除すると共に、ネジ８８、８９のうち廃止した方に対応するネジとして、通常のネジ、すなわち、ネジ１８またはネジ１９を採用すればよい。あるいは、延設部２６においても、弾性延設部８０と同様に構成し、ネジ１２に代えてネジ８８と同じようなものを採用して、第３、第４カバー体ＣＶ３、ＣＶ４の左右両側にて弾性係止できるように構成してもよい。
【００６９】
なお、第１、第２の実施の形態において、第１〜第４カバー体ＣＶ１〜ＣＶ４は、メインカバー２１、７１と、サブカバー３０、６０との組み合わせで構成される分離型としたが、これに限るものでなく、例えば、樹脂製等により一体に形成してもよい。
【００７０】
なお、連結部材４０、５０、第１カバー体ＣＶ１等の表示付き操作パネル部Ｐ３に対する固着は、必ずしもネジによる螺着に限られず、着脱可能な手法であればよい。
【図面の簡単な説明】
【００７１】
【図１】本発明の第１の実施の形態に係る信号処理装置の外観斜視図である。
【図２】表示付き操作パネル部にメータパネル部を装着したものを斜め後方からみた斜視図である。
【図３】表示付き操作パネル部にメータパネル部を装着したものの下面図である。
【図４】図３のＡ−Ａ線に沿う断面図である。
【図５】図４の部分拡大断面図（図（ａ））、及び連結部材の屈曲部の一部を示す図である（図（ｂ））。
【図６】第１カバー体の斜視図である（図（ａ）、（ｂ））。
【図７】第１カバー体のサブカバーの斜視図（図（ａ））、第２カバー体のサブカバーの斜視図（図（ｂ））、及び第１、第２カバー体のメインカバーの斜視図（図（ｃ））である。
【図８】第２カバー体を装着した状態の表示付き操作パネル部の右側部後部を示す斜視図である。
【図９】本発明の第２の実施の形態に係る信号処理装置における第３カバー体の平面図であり、図４のＹ方向矢視図である。
【図１０】本実施の形態の信号処理装置の図５（ａ）に対応する部分断面図（図（ａ））、及び第３カバー体の部分背面図（図（ｂ））である。
【符号の説明】
【００７２】
１ａ  本体（装置本体）、  ９  ネジ穴（固着部対応部）、  １０  表示器（表示部）、  １７  配線コード（配線部の一部）、  ２１、７１  メインカバー、  ３０、６０  サブカバー、  １８、１９、８８、８９  ネジ、  １８ａ  首部（係止対応部）、  ４０、５０  連結部材（連結部）、  ４２ａ  係止・螺着用穴（係止部）、  ４２ｂ  螺着用穴（固着部）、  ７４、７７、７５、７８  係止用穴（係止取付部）、  ８０  弾性延設部、  ８８ａ  第２首部（係止対応部）、  ８８ｃ、８９ｃ  第１首部（係止取付対応部）、  Ｐ１  全体操作パネル部（操作パネル面）、  Ｐ３  表示付き操作パネル部（表示体）、  Ｐ４  メータパネル部（メータ部）、  ＣＶ１、ＣＶ３  第１、第３カバー体（配線部用カバー体）、  ＣＶ２、ＣＶ４  第２、第４カバー体（接続部用カバー体）、  ｔ１  接続端子（表示側配線用接続部、配線部の一部）、  ｔ４、ｔ５  接続端子（メータ側配線用接続部）、  Ｓ１  凹部
【図１】
2006253607.tif 000003
【図２】
2006253607.tif 000004
【図３】
2006253607.tif 000005
【図４】
2006253607.tif 000006
【図５】
2006253607.tif 000007
【図６】
2006253607.tif 000008
【図７】
2006253607.tif 000009
【図８】
2006253607.tif 000010
【図９】
2006253607.tif 000011
【図１０】
2006253607.tif 000012